(57)【要約】  【課題】  先行技術では、保護カバーを外装に密着させるための加締め工程が必要であり、専用冶工具の設定含めコストアップが不可避であった。更に、保護カバーを外装で支持する形態であるので、レンズ鏡筒に対して保護カバーの傾きが生じ易く光学性能の劣化を招く、という課題があった。  【解決手段】  レンズ鏡筒は、保護カバーを支持する支持部を備え、保護カバー前面に配設された外装部材は、被写体像を入光させる開口部を有すると共に  該開口部近傍で弾性を有し、前記保護カバーは  組立状態に於いて外装部材の弾性部により僅かにチャージされる。【選択図】  図３
2013007871.tif 000002
【特許請求の範囲】
【請求項１】
レンズ鏡筒と、レンズ鏡筒の前面に具備された透明部材と、透明部材の前面に配置されるカバー部材と、を備えた撮像装置において、
前記レンズ鏡筒は、前記透明部材を光軸方向に垂直に支持する支持部を備え、
前記カバー部材は、前記レンズ鏡筒に被写体像を入光させる為の開口部を有すると共に該開口部近傍で弾性部を有し、
前記撮像装置の組立状態に於いて、前記透明部材は、前記カバー部材の弾性部により光軸方向に僅かにチャージされること、を特徴とする。
【請求項２】
前記カバー部材は、前記開口部に近づくに従い  該カバー部材の厚みが除変的に小さくなるように形成されること、を特徴とする請求項１に記載の撮像装置。
【請求項３】
前記カバー部材の外観面を蛇腹状に形成すること、を特徴とする請求項１又は請求項２に記載の撮像装置。
【発明の詳細な説明】
【技術分野】
【０００１】
本発明は撮像装置のレンズ鏡筒前面に配置された保護カバーに関する。
【背景技術】
【０００２】
近年、画像を遠隔的にモニタリングできる監視カメラに於いて、レンズの傷、汚れ、ゴミの侵入等を防止する目的でレンズ前面に透明性を有する保護カバーを設けたものが知られている。
【０００３】
例えば特許文献１では、レンズ前面の保護カバーの外側に外装の内面から保持壁を設け、この保持壁を加締めることにより保護カバーを外装の内面に密着させる、という技術が開示されている。これにより外部からのゴミ等の侵入を防ぐ、というものである。
【先行技術文献】
【特許文献】
【０００４】
【特許文献１】特開平１０−３３３２８４号公報
【発明の概要】
【発明が解決しようとする課題】
【０００５】
しかしながら、上記従来例では保護カバーを外装に密着させるための加締め工程が必要であり、専用冶工具の設定含めコストアップが不可避であった。更に、保護カバーを外装で支持する形態であるので、レンズ鏡筒に対して保護カバーの傾きが生じ易く光学性能の劣化を招く、という課題があった。
【課題を解決するための手段】
【０００６】
そこで上記課題を解決する為、請求項１記載の撮像装置は、
レンズ鏡筒と、レンズ鏡筒の前面に具備された透明部材と、透明部材の前面に配置されるカバー部材とを有し、前記レンズ鏡筒は、前記透明部材を光軸方向に略垂直に支持する支持部を備え、前記カバー部材は、前記レンズ鏡筒に被写体像を入光させる為の開口部を有すると共に該開口部近傍で弾性部を有し、前記撮像装置の組立状態に於いて、前記透明部材は、前記カバー部材の弾性部により光軸方向に僅かにチャージされること、を特徴とする。
【発明の効果】
【０００７】
本発明によれば、レンズ鏡筒の前面に具備される透明部材を  レンズ鏡筒に対して支持すると共に、撮像装置の組立状態に於いて、透明部材をその前面に配設されるカバー部材の弾性により光軸方向にチャージする形態であるので、加締め等の専用工程に伴うコストアップ無く簡便な構成にて外部からのゴミ等の侵入並びにレンズの傷、汚れを防止することができる。更に、従来技術に対し  レンズ鏡筒に対する透明部材の傾きを最小化できるので、良好な光学性能を維持することが可能となる。
【図面の簡単な説明】
【０００８】
【図１】本発明を適用した監視カメラの外観図
【図２】本発明を適用した監視カメラの分解図
【図３】本発明を適用した監視カメラの詳細図
【発明を実施するための形態】
【０００９】
以下、添付図に従って本発明を撮像装置であるところの監視カメラに適用した場合の実施形態について詳説する。
【００１０】
図１は本発明を適用した監視カメラの外観図であり、金属製の上カバー１０１、下カバー１０２、樹脂製の前カバーであるところのカバー部材１０３、後カバー１０４、更に後述のレンズ鏡筒２０１の前面に配設された保護カバーであるところの透明部材２０２、から構成される。上カバー１０１には三脚穴１０５が螺子により固定され、専用の取り付け用アームを介して天井や側壁に設置される形態となっている。
【００１１】
図２は本体構成を示す分解斜視図である。２０３は金属製の第一のフレームであり、ＣＰＵ、メモリ、各種ドライバ等が実装された硬質プリント基板２０５を保持している。同様に２０４は金属製の第二のフレームであり、各種電源系ＩＣ並びにＬＡＮ端子、音声入出力端子等の外部インターフェースコネクタを実装した硬質プリント基板２０６を支持している。更に、第一のフレーム２０３と第二のフレーム２０４は、螺子により締結され、電気的に接続されている。レンズ鏡筒ユニット２０１は、その後方に具備されたＣＭＯＳ等の撮像素子を実装したプリント基板を介して、前述の硬質プリント基板２０５にＦＦＣ等の手段により接続されている。
【００１２】
螺子により締結された第一のフレーム２０３と第二のフレーム２０４、及びレンズ鏡筒ユニット２０１は、上カバー１０１、下カバー１０２に対して螺子により固定され、後カバー１０４も同様にして固定される。
【００１３】
図３は本発明の実施例に於ける詳細図であり、詳細図Ａのうち（ａ）は請求項１乃至２記載の実施形態、（ｂ）は請求項３記載の実施形態を示す。
【００１４】
前カバー１０３は、その一端を上カバー１０１の非外観部に形成された螺子部に締結され、その対向する端部に於いては、レンズ鏡筒２０１に形成された不図示の係止部により係止される形態となっている。また、前カバー１０３は、レンズ群に被写体像を入光させる為の略円形の開口部を設けており、該開口部近傍に弾性部１０３−ａを備えている。
【００１５】
透明部材２０２は、レンズ鏡筒２０１の前面に円周状に配設された支持部２０１−ａと前カバー１０３との間に挟持されると共に、組立状態に於いて前カバー１０３の弾性部１０３−ａによって図３矢印方向（光軸方向）にチャージ（付勢）される構成となっている。ここで、透明部材２０２とレンズ鏡筒２０１の支持部２０１−ａは、全周に渡って略密着しており、同様に透明部材２０２と前カバー１０３の弾性部１０３−ａも全周に渡って略密着している。本実施例では、透明部材２０２としてガラスと比べ相対的にローコストのＰＭＭＡ（アクリル樹脂）を想定しており、低温環境下での光軸方向の熱収縮も加味した上でそのチャージ量を設定している。
【００１６】
また、透明部材２０２は、従来技術のような加締め・接着等の不可逆的な固定形態をとらないので、ユーザーが螺子部と係止部の着脱動作をすることで、カメラ本体への装着及び取り外しが可能である。これにより、例えばカメラ本体を屋外用の外付けハウジングに入れて使用する際でも、カメラ本体の透明部材２０２を取り外すことにより外付けハウジングに設けられた透明性の保護カバーとの二重化が回避される為、撮影画質の劣化を防ぐことができる。
【００１７】
前カバー１０３の弾性部１０３−ａは、図３（ａ）に於いては、前カバー１０３の開口部に近づくに従い、その厚みが除変的に小さくなるように形成されている。また、図３（ｂ）に於いては、前カバー１０３の外観面が蛇腹状となるように形成されている。
【００１８】
図３（ａ）の形態によれば、厚みが除変的に小さくなるので、弾性を持たせながら開口部端面長が小さくなる。従って、入射光が開口部端面で反射することによって発生する所謂ゴースト等の影響も最小化することができる。また、図３（ｂ）の形態によれば、弾性を持たせながら蛇腹状の外観面を遮光線として機能させることも可能であり、反射光の写り込みによる画質劣化を低減できる。更にその他の実施形態として（ａ）、（ｂ）を複合的に組み合わせたもの、即ち前カバー１０３の開口部近傍の厚みを除変的に小さくしつつその外観面を蛇腹状に形成したものも挙げられる。
【００１９】
上述の通り、本発明によれば、加締め等の専用工程に伴うコストアップ無く  簡便な構成にて外部からのゴミ等の侵入並びにレンズの傷、汚れを防止することができる。更に、レンズ鏡筒に対し透明部材を支持する形態であるので、従来技術に対しレンズ鏡筒に対する透明部材の傾きを最小化でき、良好な光学性能を維持することが可能となる。
【００２０】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００２１】
１０３            カバー部材
１０３−ａ    弾性部
２０１            レンズ鏡筒
２０１−ａ    支持部
２０２            透明部材
【図１】
2013007871.tif 000003
【図２】
2013007871.tif 000004
【図３】
2013007871.tif 000005